(57)【特許請求の範囲】
【請求項１】
走行レールに走行自在に吊り下げられる戸本体の下端面に走行方向に延びる案内溝を有し、前記戸本体に平行に配置された壁体又は他の隣の戸本体に取り付けられて前記案内溝に係入する案内具を有する振れ止め部材を備えた引き戸の案内装置において、
前記案内具は、前記振れ止め部材の案内具支持片に差し込むことで、回り止めされるように取り付けられる１つの差込み溝を有し、
前記１つの差込み溝は、前記案内具の厚み方向の中心線より変位して形成され、
前記案内具は、前記戸本体の厚みに応じて前記振れ止め部材の取付け位置に対して前記案内溝が接近したり離反したりするように、前記差込み溝の向きを変えて前記案内具支持片に差し込むことで、前記戸本体の厚みが異なっても同じ寸法の振れ止め部材を用いることができるようにすること
を特徴とする引き戸の案内装置。
【請求項２】
走行レールに走行自在に吊り下げられて壁体に平行に配置された２つの戸本体のそれぞれの下端面に走行方向に延びる案内溝を有し、前記壁体及びその隣の戸本体にそれぞれ取り付けられて前記案内溝に係入する案内具をそれぞれ有する２つの振れ止め部材を備えた引き戸の案内装置において、
前記各案内具は、前記各振れ止め部材の案内具支持片に差し込むことで、回り止めされるように取り付けられる１つの差込み溝をそれぞれ有し、
前記各１つの差込み溝は、前記各案内具の厚み方向の中心線より変位して形成され、
前記各案内具は、前記各戸本体の厚みに応じて前記各振れ止め部材の取付け位置に対して前記各案内溝が接近したり離反したりするように、前記各差込み溝の向きを変えて前記各案内具支持片に差し込むことで、前記各戸本体の厚みが異なっても同じ寸法の振れ止め部材を用いることができるようにすること
を特徴とする引き戸の案内装置。
【請求項３】
走行レールに走行自在に吊り下げられる戸本体の下端面に走行方向に延びる案内溝を有し、前記戸本体に平行に配置された壁体又は他の隣の戸本体に取り付けられて前記案内溝に係入する案内具を有する振れ止め部材を備えた引き戸の案内装置において、
前記案内具は、前記振れ止め部材の案内具支持片に差し込んで取り付けられる複数の差込み溝を有し、
前記複数の差込み溝は、前記案内具の厚み方向に並んで配置され、
前記案内具は、前記戸本体の厚みに応じて、前記振れ止め部材の取付け位置に対して異なる位置となるように前記複数の差込み溝のいずれか１つの差込み溝を前記案内具支持片に差し込んで前記戸本体の厚みが異なっても同じ寸法の振れ止め部材を用いることができるようにすること
を特徴とする引き戸の案内装置。
【請求項４】
走行レールに走行自在に吊り下げられ下端面に走行方向に延びる案内溝を有する戸本体に平行に配置された壁体又は他の隣の戸本体に取り付けられるべき振れ止め部材と前記振れ止め部材の案内具支持片に着脱自在に取り付けられて前記案内溝に係入すべき案内具との組み合わせである引き戸の案内装置用組み立て部品において、
前記案内具は、前記振れ止め部材の案内具支持片に差し込むことで、回り止めされるように取り付けられる１つの差込み溝を有し、
前記１つの差込み溝は、前記案内具の厚み方向の中心線より変位して形成され、
前記案内具は、前記戸本体の厚みに応じて前記振れ止め部材の取付け位置に対して前記案内溝が接近したり離反したりするように、前記差込み溝の向きを変えて前記案内具支持片に差し込むことで、前記戸本体の厚みが異なっても同じ寸法の振れ止め部材を用いることができるようにすること
を特徴とする引き戸の案内装置用組み立て部品。
【請求項５】
走行レールに走行自在に吊り下げられ下端面に走行方向に延びる案内溝を有する戸本体に平行に配置された壁体又は他の隣の戸本体に取り付けられるべき振れ止め部材と前記振れ止め部材の案内具支持片に着脱自在に取り付けられて前記案内溝に係入すべき案内具との組み合わせである引き戸の案内装置用組み立て部品において、
前記案内具は、前記振れ止め部材の案内具支持片に差し込んで取り付けられる複数の差込み溝を有し、
前記複数の差込み溝は、前記案内具の厚み方向に並んで配置され、
前記案内具は、前記戸本体の厚みに応じて前記振れ止め部材の取付け位置に対して異なる位置となって前記戸本体の厚みが異なっても同じ寸法の振れ止め部材を用いることができるように前記複数の差込み溝のいずれか１つの差込み溝が前記案内具支持片に差し込まれるものであること
を特徴とする引き戸の案内装置用組み立て部品。
【発明の詳細な説明】
【技術分野】
【０００１】
本発明は、引き戸を開閉する際に振れ止めしながら戸本体を案内する引き戸の案内装置及びこの案内装置の組み立てに用いられる組み立て部品に関するものである。
【背景技術】
【０００２】
従来技術による１つの形態の引き戸が特許文献１乃至３に開示されており、これらの文献に開示された引き戸は、天井等に取り付けられた複数の平行な走行レールに走行自在に吊り下げられた戸本体の下端面に走行方向に延びる案内溝（特許文献１の符号２１、特許文献２の符号枠部材２内の空間、特許文献３の符号２１参照）を有し、戸本体が沿っている壁体又は平行に配置された隣の戸本体に取り付けられた振れ止め部材（特許文献１の符号９、特許文献２の符号６２、特許文献３の符号３０参照）に取り付けられる案内具（特許文献１の符号１７、特許文献２の符号６２ａ、特許文献３の符号３５参照）が戸本体の案内溝に係合して戸本体が開閉する際に戸本体の案内溝と壁体又は他の引き戸に取り付けられた案内具との係合で引き戸の開閉時の引き戸の振れが抑制される。
【０００３】
一方、この種の引き戸は、戸本体が壁体や隣の戸本体に対して円滑に移動することができるようにするために、戸本体と壁体又は隣り合う戸本体の間隔（図３の符号「Ｄ」参照）が一定であることが好ましい。しかし、戸本体は、設計上、種々の厚み、例えば、少なくとも２つの異なる厚みを有するので、上記の間隔を一定に保つためには、この厚みに相応する寸法の組み立て部品を別途に用意するか振れ止め部材上で案内部の位置を調節するようにしなければならない。
【０００４】
即ち、特許文献１、２の案内具は、振れ止め部材の先端起立片に取り付けられるので、戸本体の厚みに応じて起立片の位置が異なる種々の振れ止め部材を用意しなければならないが、これは、部品数が多くなって経済的に好ましくない。
【０００５】
一方、特許文献３の案内具は、振れ止め部材の調節溝に沿って位置調節することができるので、種々の厚みの戸本体に対応することができるが、戸本体と壁体又は隣の戸本体との間の間隔を計測しながら振れ止め部材の調節溝の所定位置に固定しなければならないので、作業効率が低い欠点があった。
【０００６】
【特許文献１】特開２００２-２８５７５３号公報
【特許文献２】特開２００７-２３６３７号公報
【特許文献３】特許第４７２２１５４号公報
【発明の開示】
【発明が解決しようとする課題】
【０００７】
本発明が解決しようとする１つの課題は、戸本体の厚みが異なっても同じ寸法の振れ止め部材を用いることができる引き戸の案内装置を提供することにある。
【０００８】
本発明が解決しようとする他の課題は、戸本体の厚みが異なっても同じ寸法の振れ止め部材を用いることができる引き戸の案内装置用組み立て部品を提供することにある。
【課題を解決するための手段】
【０００９】
本発明の第１の課題解決手段は、
走行レールに走行自在に吊り下げられる戸本体の下端面に走行方向に延びる案内溝を有し、前記戸本体に平行に配置された壁体又は他の隣の戸本体に取り付けられて前記案内溝に係入する案内具を有する振れ止め部材を備えた引き戸の案内装置において、
前記案内具は、前記振れ止め部材の案内具支持片に差し込むことで、回り止めされるように取り付けられる１つの差込み溝を有し、
前記１つの差込み溝は、前記案内具の厚み方向の中心線より変位して形成され、
前記案内具は、前記戸本体の厚みに応じて前記振れ止め部材の取付け位置に対して前記案内溝が接近したり離反したりするように、前記差込み溝の向きを変えて前記案内具支持片に差し込むことで、前記戸本体の厚みが異なっても同じ寸法の振れ止め部材を用いることができるようにすること
を特徴とする引き戸の案内装置を提供することにある。
【００１０】
本発明の第２の課題解決手段は、
走行レールに走行自在に吊り下げられて壁体に平行に配置された２つの戸本体のそれぞれの下端面に走行方向に延びる案内溝を有し、前記壁体及びその隣の戸本体にそれぞれ取り付けられて前記案内溝に係入する案内具をそれぞれ有する２つの振れ止め部材を備えた引き戸の案内装置において、
前記各案内具は、前記各振れ止め部材の案内具支持片に差し込むことで、回り止めされるように取り付けられる１つの差込み溝をそれぞれ有し、
前記各１つの差込み溝は、前記各案内具の厚み方向の中心線より変位して形成され、
前記各案内具は、前記各戸本体の厚みに応じて前記各振れ止め部材の取付け位置に対して前記各案内溝が接近したり離反したりするように、前記各差込み溝の向きを変えて前記各案内具支持片に差し込むことで、前記各戸本体の厚みが異なっても同じ寸法の振れ止め部材を用いることができるようにすること
を特徴とする引き戸の案内装置を提供することにある。
【００１１】
本発明の第３の課題解決手段は、
走行レールに走行自在に吊り下げられる戸本体の下端面に走行方向に延びる案内溝を有し、前記戸本体に平行に配置された壁体又は他の隣の戸本体に取り付けられて前記案内溝に係入する案内具を有する振れ止め部材を備えた引き戸の案内装置において、
前記案内具は、前記振れ止め部材の案内具支持片に差し込んで取り付けられる複数の差込み溝を有し、
前記複数の差込み溝は、前記案内具の厚み方向に並んで配置され、
前記案内具は、前記戸本体の厚みに応じて前記振れ止め部材の取付け位置に対して異なる位置となるように前記複数の差込み溝のいずれか１つの差込み溝を前記案内具支持片に差し込んで前記戸本体の厚みが異なっても同じ寸法の振れ止め部材を用いることができるようにすること
を特徴とする引き戸の案内装置を提供することにある。
【００１２】
本発明の第４の課題解決手段は、
走行レールに走行自在に吊り下げられ下端面に走行方向に延びる案内溝を有する戸本体に平行に配置された壁体又は他の隣の戸本体に取り付けられるべき振れ止め部材と前記振れ止め部材の案内具支持片に着脱自在に取り付けられて前記案内溝に係入すべき案内具との組み合わせである引き戸案内装置用組み立て部品において、
前記案内具は、前記振れ止め部材の案内具支持片に差し込むことで、回り止めされるように取り付けられる１つの差込み溝を有し、
前記１つの差込み溝は、前記案内具の厚み方向の中心線より変位して形成され、
前記案内具は、前記戸本体の厚みに応じて前記振れ止め部材の取付け位置に対して前記案内溝が接近したり離反したりするように、前記差込み溝の向きを変えて前記案内具支持片に差し込むことで、前記戸本体の厚みが異なっても同じ寸法の振れ止め部材を用いることができるようにすること
を特徴とする引き戸の案内装置用組み立て部品を提供することにある。
【００１３】
本発明の第５の課題解決手段は、
走行レールに走行自在に吊り下げられ下端面に走行方向に延びる案内溝を有する戸本体に平行に配置された壁体又は他の隣の戸本体に取り付けられるべき振れ止め部材と前記振れ止め部材の案内具支持片に着脱自在に取り付けられて前記案内溝に係入すべき案内具との組み合わせである引き戸の案内装置用組み立て部品において、
前記案内具は、前記振れ止め部材の案内具支持片に差し込んで取り付けられる複数の差込み溝を有し、
前記複数の差込み溝は、前記案内具の厚み方向に並んで配置され、
前記案内具は、前記戸本体の厚みに応じて前記振れ止め部材の取付け位置に対して異なる位置となって前記戸本体の厚みが異なっても同じ寸法の振れ止め部材を用いることができるように前記複数の差込み溝のいずれか１つの差込み溝が前記案内具支持片に差し込まれるものであること
を特徴とする引き戸の案内装置用組み立て部品を提供することにある。
【発明の効果】
【００１４】
本発明によれば、上記のように、振れ止め部材の案内具支持片に着脱自在に差し込んで取り付けられて戸本体の下端面に設けられた案内溝に係入する案内具がその厚み方向の中心線から変位する位置に差込み溝を有するので、戸本体の厚みに応じて差込み溝を壁体又は隣の戸本体に近づけるか壁体又は隣の戸本体から離れるかする向きで案内具を振れ止め部材の案内具支持片に差し込むことによって戸本体の厚みが異なっても同じ大きさの振れ止め部材を用いることができ、従って部品数を多くすることはなく引き戸の案内装置を組み立てることができる。
【００１５】
また、案内具の差込み溝は、予め用意された戸本体の厚みに応じて設定された変位位置に設けられるので、案内具を振れ止め部材に取り付ける際に壁体や隣の戸本体との間隔を計測する面倒な作業の必要がなく、引き戸の案内装置の組み立ての作業効率が低下することがない。
【図面の簡単な説明】
【００１６】
【図１】本発明の案内装置を備えた引き戸を下側から俯瞰して示し、同図（Ａ）は、引き戸の展開状態（閉じた状態）の斜視図、同図（Ｂ）は、引き戸の重合状態（開いた状態）の斜視図である。
【図２】図１（Ａ）（Ｂ）の案内装置を有する部分をそれぞれ拡大して示す斜視図である。
【図３】本発明の案内装置を異なる厚みの戸本体に適用した例の端面を示し、同図（Ａ）は、厚みの大きい戸本体に適用した場合の端面図、同図（Ｂ）は、厚みの小さい戸本体に適用した場合の端面図である。
【図４】本発明に用いられる振れ止め部材と案内具とを示し、同図（Ａ）（Ｂ）は、それぞれ案内具が振れ止め部材に取り付けられた状態の上からと下からと俯瞰した斜視図、同図（Ｃ）は、案内具を振れ止め部材から取り外した状態の斜視図である。
【図５】本発明に用いられる振れ止め部材と案内具との図３（Ａ）に相応する組み立て状態を示し、同図（Ａ）乃至（Ｅ）は、それぞれその正面図、右側面図、同図（Ａ）のＣ−Ｃ線断面図、同図（Ｂ）のＤ−Ｄ線断面図及び同図（Ａ）のＥ−Ｅ線断面図である。
【図６】本発明に用いられる振れ止め部材と案内具との図３（Ｂ）に相応する組み立て状態を示し、同図（Ａ）及び（Ｂ）は、それぞれ図５（Ｃ）及び５（Ｅ）と同じ線で断面した断面図である。
【図７】本発明に用いられる案内具の差込み溝の寸法関係を説明する拡大断面図である。
【図８】振れ止め部材を変形した本発明の他の実施の形態の振れ止め部材と案内具との組み立て状態の上方からと下方から俯瞰した斜視図である。
【図９】図８の実施の形態を図３（Ｂ）の態様で組み立てた状態を示し、同図（Ａ）乃至（Ｃ）は、それぞれその正面図、同図（Ａ）のＢ―Ｂ線及びＣ−Ｃ線断面図である。
【図１０】案内具に２つの差込み溝を有する本発明の更に他の実施の形態の拡大断面図である。
【発明を実施するための最良の形態】
【００１７】
本発明の好ましい実施の形態による案内装置２０を備えた引き戸１０が図１乃至図５に示されており、図示の形態では、引き戸１０は、壁体１２に平行に配置された２つの戸本体１４Ａ、１４Ｂから成っており、これらの戸本体１４Ａ、１４Ｂは、枠体１６の上板１６Ｕに支持された走行レール１８Ａ、１８Ｂにそれぞれ吊りローラ（図示せず）を介して走行自在に吊り下げて壁体１２に平行に沿って開閉するように枠体１６内に支持されている。
【００１８】
案内装置２０は、図２に示すように、戸本体１４Ａ、１４Ｂ（以下総体的には符号１４で示す）の下端面１４Ｌに設けられ走行方向に延びる案内溝３０と、戸本体１４Ａに平行に配置された壁体１２及び戸本体１４Ｂに平行に配置された他の隣の戸本体１４Ａにそれぞれ取り付けられて案内溝３０に係入する案内具４２を着脱自在に取り付ける振れ止め部材４０とを備えている。
【００１９】
戸本体１４の案内溝３０は、図１及び図２から解るように、所定の同じ幅で全長に亘って延びており、この溝幅３０Ｗは、案内装置２０の案内具４２が戸本体１４の走行方向に自由に摺動できるように係入するのに必要な寸法に設定されている。逆に述べると、案内具４２は、案内溝３０内を摺動することができるような厚みに設定されている。
【００２０】
振れ止め部材４０は、図２乃至図６に示すように、壁体１２又は他の隣の戸本体１４Ｂの壁面にねじ止めすべき取付け板４０Ｍとこの取付け板４０Ｍの下端から水平に延びるウエブ４０Ｗとこのウエブ４０Ｗの取付け板４０Ｍとは反対側から垂直に起立して延びて案内具４２が着脱自在に支持される案内具支持片４０Ｓとから成っている。従って、この振れ止め部材４０は、取付け板４０Ｍとウエブ４０Ｗと案内具支持片４０ＳとによってＵ字形に形成され、取付け板４０Ｍを壁体１２又は他の隣の戸本体１４Ｂの壁面に図示しないねじによって固定して取り付けられている。なお、図４乃至図６において、符号４０ＭＨは、取付け板４０Ｍに設けられてねじが貫通するねじ貫通孔である。図示の形態では、図４及び図５から解るように、取付け板４０Ｍとウエブ４０Ｗと案内具支持片４０Ｓとが同じ幅寸法を有する。
【００２１】
案内具４２は、図３乃至図７に示すように、振れ止め部材４０の案内具支持片４０Ｓに差し込んで取り付けられる少なくとも１つの差込み溝４２Ｇを有し、この１つの差込み溝４２Ｇは、案内具４２の厚み方向（図３の左右方向）の中心線Ｘよりいずれか一方に変位して形成されている。即ち、この案内具４２は、特に、図７に示すように、その厚みが案内溝３０の幅３０Ｗよりも若干小さく、この差込み溝４２Ｇの一方の溝内側面４２ＧＬとその相応する側の外側面４２ＳＬとの間の寸法ＳＬが他方の溝内側面４２ＧＲとその相応する側の外側面４２ＳＲとの間の寸法ＳＲよりも小さく（又は大きく）なるように設定されて差込み溝４２Ｇの中心線ＧＸが案内具４２の厚み向の中心線Ｘからずれかに変位している。また、この変位の程度（ＸとＧＨとの間のずれｄ）は、図３（Ａ）に示すように、戸本体１４の厚みＴ１４Ｌが大きい場合には、小さい寸法ＳＬ側が振れ止め部材４０の取付け側（取付け板４０Mを有する側）に向くようにして案内具４２が案内具支持片４０Ｓに差し込まれて戸本体１４と壁体１２又は隣の戸本体１４との間に所定の間隔Ｄが保たれ、また図３（Ｂ）に示すように、戸本体１４の厚みＴ１４Ｓが小さい場合には、大きな寸法ＳＲ側が振れ止め部材４０の取付側に向くようにして案内具４２が案内具支持片４０Ｓに差し込まれて戸本体１４と壁体１２又は隣の戸本体１４との間に同じ所定の間隔Ｄが保たれるように設定される。
【００２２】
従って、案内具４２は、戸本体１４の厚みに応じて差込み溝４２Ｇの向きを変えて（反転して）振れ止め部材４０の案内具支持片４０Ｓに差し込むだけで戸本体１４の厚みが変化しても戸本体１４と壁板１２又は隣の戸本体１４との間に一定の所定間隔Ｄが維持される。
【００２３】
具体的に例示すると、例えば、図３（Ａ）の戸本体１４の厚みＴ１４Ｌ＝３６ｍｍであり、また図３（Ｂ）の戸本体１４の厚みＴ１４Ｓ＝３３ｍｍであり、また戸本体１４と壁板１２との間又は隣り合う戸本体１４間の所定の間隔Ｄ＝７ｍｍであるとすると、案内具４２の差込み溝４２Ｇは、案内具４２の幅方向の中心線Ｘからｄ＝１．５ｍｍｍだけ変位して形成すると、図３（Ａ）の場合には、差込み溝４２Ｇが案内具４２の中心線Ｘよりも取付け側に１．５ｍｍ変位する向きで案内具４２を差込み、図３（Ｂ）の場合には、差込み溝４２Ｇが案内具４２の中心線Ｘよりも取付け側とは反対側に１．５ｍｍ変位する向きで案内具４２を差し込む。
【００２４】
図４乃至図６の実施の形態では、振れ止め部材４０の取付け板４０Ｍ、ウエブ４０Ｗ及び案内具支持片４０Ｓは、同じ幅寸法を有していたが、図８及び図９に示すように、取付け板４０Ｍ、ウエブ４０Ｗ、案内具支持片４０Ｓが異なる幅寸法を有していてもよく、図示の形態では、案内具支持片４０Ｓ、ウエブ４０Ｗ、取付け板４０Ｍの順に幅が大きくなるように形成してもよい。このようにすると、取付け板４０Ｍは、壁体１２又は隣の戸本体１４に一層高い強度で固定することができる。
【００２５】
上記の実施の形態では、案内具４２は、中心から変位した１つの差込み溝４２Ｇを有していたが、例えば、差込み溝４２Ｇの溝幅が比較的小さくてよく、一方戸本体１４の厚み寸法が大きく異なる場合には、図１０に示すように、１つの変位した差込み溝４２Ｇの他に、案内具４２の上記の１つの変位した差込み溝４２Ｇとは異なった位置に他の差込み４２ＧＣを有していてもよい。この差込み溝４２ＧＣは、案内具４２の中心線Ｘ上に整列していてもよいし、整列していなくともよく、図１０の例では、差込み溝４２ＧＣは、案内具４２の中心線Ｘから差込み溝４２Ｇとは反対方向に若干ずれている。この場合には、１つの差込み溝４２Ｇを有する先の実施の形態と同様に案内具４２の向きを変える（反転する）ことによって厚みが異なる４種類の戸本体１４に同じ振れ止め部材４０と案内具４２とを共通に使用することができる。なお、差込み溝４２ＧＣが中心線Ｘに整列している場合には、３つの異なった厚みの戸本体１４に適用することができる。また、図１０の例のように２つの差込み溝４２Ｇと４２ＧＣとを有する場合には、案内具４２の向きを変え（反転し）なくても、最低２つの異なった厚みの戸本体に適用することができ、これも本発明の範囲である。
【００２６】
なお、図２（Ｂ）に示すように、戸本体１４Ｂが隣の戸本体１４Ａに重合するまで戸本体１４Ｂを開くと、戸本体１４Ａに取り付けられた振れ止め部材４０のウエブ４０Ｗに弾性的に係合して戸本体１４Ｂを戸本体１４Ａに保持する弾性爪５０Ｐを含む保持部材５０が戸本体１４Ｂに取り付けられている。
【産業上の利用可能性】
【００２７】
本発明によれば、上記のように、厚みが異なる戸本体であっても振れ止め部材及びその案内具の寸法を変えることなく、産業上有益に利用することができる。
【符号の説明】
【００２８】
１０      引き戸
１２      壁体
１４、１４Ａ、１４Ｂ  戸本体
１４Ｇ    案内溝
１４Ｌ    下端面
１６      枠体
１６Ｕ    枠体の上板
１８Ａ、１８Ｂ  走行レール
２０      案内装置
３０      案内溝
３０Ｗ    溝幅
４０      振れ止め部材
４０Ｍ    取付け板
４０ＭＨ  ねじ貫通孔
４０Ｗ    ウエブ
４０Ｓ    案内具支持片
４２      案内具
４２Ｇ、４２ＧＣ  差込み溝
４２ＧＬ、４２ＧＲ  溝内側面
４２ＳＲ  外側面
Ｔ１４Ｌ、Ｔ１４Ｓ  戸本体の厚み
ＳＬ、ＳＲ  案内具の溝内側面と案内具の外側面との間の寸法
５０      保持部材
５０Ｐ    弾性爪
【図１】
0005968013.tif 000002
【図２】
0005968013.tif 000003
【図３】
0005968013.tif 000004
【図４】
0005968013.tif 000005
【図５】
0005968013.tif 000006
【図６】
0005968013.tif 000007
【図７】
0005968013.tif 000008
【図８】
0005968013.tif 000009
【図９】
0005968013.tif 000010
【図１０】
0005968013.tif 000011